(57)【要約】      （修正有）【課題】簡単な構造で、板状の部材の任意の位置に取付可能で、従来よりも配線方向の自由度が増加したケーブルクリップを提供する。【解決手段】所要の形状に打ち抜き加工を施した金属板の、一対の対向する辺に、同じ方向に曲げ加工を施して挟持部１ａ、１ｂを形成し、該挟持部１ａ、１ｂの双方に一対の開口部７ａ、７ｂを形成し、該挟持部１ａ、１ｂの間に形成されてなる挟持部支持面２の長さ方向に、一対の開口部５ａ、５ｂを並設し、さらに該開口部５ａ、５ｂの並設方向と平行に、該開口部５ａ、５ｂを挟む位置に一対のスリット６ａ、６ｂを形成する。該一対の開口部５ａ、５ｂの間に形成される平板部４ｃを、前記挟持部１ａ、１ｂとは反対の方向に押し込むフォーミング加工を施すことによって、帯状または線状の部材が狭持支持部及び狭持部１ａ、１ｂに沿って互いに直交する各２方向に挿通可能な挿通部が３対形成されてなるケーブルクリップを得る。【選択図】図１
2017099247.tif 000002
【特許請求の範囲】
【請求項１】
所要の形状に打ち抜き加工を施してなる金属板の、一対の対向する辺に、同じ方向に曲げ加工を施すことにより形成されてなる挟持部と、前記挟持部の双方に一対形成されてなる第一の開口部と、前記挟持部の間に形成されてなる挟持部支持面の長さ方向に並設されてなる一対の第二の開口部と、前記一対の第二の開口部の並設方向と平行に、前記一対の第二の開口部を挟む位置に形成される一対のスリットにより、前記一対の第二の開口部の間に形成される平板部を、前記挟持部とは反対の方向に押し込むことによって、帯状または線状の部材が挿通可能な挿通部が、互いにほぼ直交する方向に、３対形成されてなることを特徴とする、ケーブルクリップ。
【請求項２】
前記挟持部の長さ方向の両端に、係止爪が形成されてなることを特徴とする、請求項１に記載のケーブルクリップ。
【発明の詳細な説明】
【技術分野】
【０００１】  本発明は、電源などのケーブルを展張する際に、ケーブルの自重による垂れ下がりを抑制するためのケーブルクリップに関し、特にラックのフレームや建物の梁などを構成する、板状の部材に容易に取り付けることが可能で、かつ、ケーブルの展張方向の制約が少ないケーブルクリップに関するものである。
【背景技術】
【０００２】  多くの電気機器を使用する作業場においては、常設または仮設の状態で、通信用や電源用のケーブル類の展張が必要である。そして、工作機械などを制御するためのコンピュータ間のデータの送受信は無線ＬＡＮで事足りるが、電源を無線化するのは困難である。【０００３】  ケーブル類を、床上に展張するのは、安全管理上、好ましい状態ではないので、床下に配設することも広く行われている。しかし、この方法は、機器類のちょっとした移動が簡単に対応できないという課題がある。そこで、天井の梁やラックなどの什器類を構成する部材に、ケーブルクリップを取り付けて、ケーブル類を展張し、機器類に電源を供給することも行われている。【０００４】  このような目的に用いられるケーブルクリップの例として、特許文献１には、バネ鋼の断面をほぼＳ字状に折り曲げて一体に形成し、片側の折り曲げ部にケーブルを保持し、他方の折り曲げ部に支持基板を挿入することで、支持基板にケーブルを固定可能なケーブルクリップが開示されている。【０００５】  ここに開示されているケーブルクリップは、バネ鋼を折り曲げるだけで、製作できるという利点があるが、支持基板を把持する力が十分ではないため、ケーブルクリップを支持基板の上から挿入する必要があり、使用方法に制限がある。また、ケーブルの取り付け方向が、ケーブルクリップの長さ方向に平行な方向に制約され、配線の自由度という観点から改善の余地がある。【０００６】  また、特許文献２には、パネルの取付孔に係止されるケーブルクリップが電線に一体に成形されたクリップ付ワイヤーハーネスが開示されている。ここで用いられているケーブルクリップも簡単な構造であり、ワイヤーハーネス以外にも、ケーブルの結束に応用できる可能性があるが、ケーブルクリップの係止部を挿入するため取付孔を、ケーブルクリップを取り付ける対象物に、予め設けておく必要があり、任意の場所に取り付けることができないという点で、改善の余地がある。【０００７】  さらに、本発明者は、前記問題への対処のため、特許文献３において、簡単な構造で、板状の部材の任意の位置に取り付けることが可能で、しかも、従来よりも配線の方向の自由度が増加したケーブルクリップを提案している。しかし、本発明者らのその後の検討によれば、簡単な構造改良で、配線の方向の自由度を増加できること想到した。
【先行技術文献】
【特許文献】
【０００８】
【特許文献１】  特開２０１３−０４２６０１号公報
【特許文献２】  特開２０１３−１１５８５７号公報
【特許文献３】  特願２０１４−２０９４３６号公報
【発明の概要】
【発明が解決しようとする課題】
【０００９】  従って、本発明の課題は、前記のケーブルクリップの配線の自由度をさらに増加することにある。
【課題を解決するための手段】
【００１０】  本発明は、本発明者が先に特許出願した、ケーブルを束ねるための、既存の結束バンドを利用し得る、ケーブルクリップの構造の改良を検討した結果なされたものである。【００１１】  本発明品は、所要の形状に打ち抜き加工を施してなる金属板の、一対の対向する辺に、同じ方向に曲げ加工を施すことにより形成されてなる挟持部と、前記挟持部の双方に一対形成されてなる第一の開口部と、前記挟持部の間に形成されてなる挟持部支持面の長さ方向に並設されてなる一対の第二の開口部と、前記一対の第二の開口部の並設方向と平行に、前記一対の第二の開口部を挟む位置に形成される一対のスリットにより形成され、前記一対の第二の開口部の間に形成される平板部を、前記挟持部とは反対の方向に押し込むフォーミング加工を施すことによって、帯状または線状の部材が、狭持支持部及び狭持部に沿って挿通可能な挿通部が成形されているケーブルクリップである。即ち、本発明は、帯状または線状の部材が、狭持支持部及び狭持部に沿って互いにほぼ直交する方向に、各２箇所（合計４箇所）挿通が可能となる、多方向のケーブル配線に対応ができるケーブルクリップである。【００１２】  また、本発明は、前記挟持部の長さ方向の両端に、係止爪が形成されてなることを特徴とする、前記のケーブルクリップである。
【発明の効果】
【００１３】  本発明に係るケーブルクリップは、前記のように挟持部の間に板部材を挟むことで、固定され、しかも係止爪を設けることが可能なので、対象物への固定を、より確実にすることができる。また、構造的な特徴から、挟持部で挟むための板状部材を、別途準備しなくとも、ラックのフレームや建物の梁を構成する、断面がＬ字型やＨ字型の鋼材の端部に取り付けることが可能なので、任意の位置に取り付けたり、移動したりすることが容易である。【００１４】  また、本発明に係るケーブルクリップにおいては、前記のように挿通部が形成されているので、この挿通部に、例えば従来多用されているケーブル結束バンドを挿通させることで、ケーブルの支持が可能となる。さらに、挿通部はケーブルクリップの長さ方向に対して、ほぼ直交及び平行する方向に４箇所形成されているので、適用する配線の方向の制約が少ない。
【図面の簡単な説明】
【００１５】
【図１】  本発明に係るケーブルクリップの一例を示す図、図１（ａ）は平面図、図１（ｂ）は正面図、図１（ｃ）は右側面図、図１（ｄ）は底面図。
【図２】  ケーブルクリップの長さ方向に平行な第二の開口部に、結束バンドを挿通してケーブルを保持した第一の例を示す図。
【図３】  ケーブルクリップの長さ方向に直交する挟持部指示面のスリットに、結束バンドを挿通してケーブルを保持した第二の例を示す図。
【図４】  ケーブルクリップの挟持部に設けられた第一の開口部と挟持部指示面のスリットに、結束バンドを挿通してケーブルを保持した第三の例を示す図。
【図５】  ケーブルクリップの挟持部に設けられた第一の開口部と、ケーブルクリップの挟持部と板状の部材間の空間部に、結束バンドを挿通してケーブルを保持した第四の例を示す図。
【発明を実施するための形態】
【００１６】  次に、本発明の実施の形態について、具体的な図に基づいて説明する。
【００１７】  図１は、本発明に係るケーブルクリップの一例を示す図で、図１（ａ）は平面図、図１（ｂ）は正面図、図１（ｃ）は右側面図、図１（ｄ）は底面図である。図１において、１ａ、１ｂは挟持部、２は挟持部支持面、３ａ、３ｂは係止爪、４ａはケーブルクリップの長さ方向に直交する挿通部、４ｂはケーブルクリップの長さ方向に平行な挿通部、４ｃは平板部、５ａ、５ｂは第二の開口部、６ａ、６ｂはスリット、６ｃ、６ｄ、６ｅ、６ｆは突起部、７ａ、７ｂは、第一の開口部である。
【００１８】  ここに示したケーブルクリップは、厚さが０．６ｍｍ程度のステンレス金属板を、所要の形状、つまり、係止爪や挟持部となるべき部分を備えた形に、打ち抜いた被加工材を用いる。まず、対向する辺を図１（ａ）及び図１（ｂ）における上の方向に曲げる加工を施し、係止爪２ａを図１（ｃ）における左側に、係止爪２ｂを同じく右側に曲げて、挟持部１ａ、１ｂを形成する。
【００１９】  次に、打ち抜き加工による開口部５ａ、５ｂと、スリット６ａ、６ｂによって形成される平板部４ｃを、図１（ｂ）及び図１（ｂ）における下方向に押し込むフォーミング加工を施し、ケーブルクリップの長さ方向に直交する挿通部４ａと、同じく長さ方向に平行な挿通部４ｂを形成する。なお、４箇所の突起部６ｃ、６ｄ、６ｅ、６ｆは、次項で説明する図２の部材８ａに対して、ケーブルクリップが左右に大きく振れるのを防ぐために設けられたものである。
【００２０】  図２は、本発明に係るケーブルクリップが、板状の部材８ａを挟んだ状態で、ケーブルクリップの長さ方向に平行な挿通部４ｂに、結束バンド９ａを挿通して、ケーブル１０ａを保持した例を示す図である。また図３は、同じく、ケーブルクリップの長さ方向に直交する挿通部４ａに、結束バンド９ｂを挿通して、ケーブル１０ｂを保持した例を示す図である。双方共ケーブルは、狭持支持面に沿って保持される。
【００２１】  図４は、本発明に係るケーブルクリップが、板状の部材８ｃを挟んだ状態で、第一の開口部７ｂと、ケーブルクリップの長さ方向に直交する挿通部４ａに結束バンド９ｃを挿通して、ケーブル１０ｃを、ケーブルクリップの長さ方向と平行な方向に保持した状態を示す図である。また、図５は、本発明に係るケーブルクリップが、板状の部材８ｄを挟んだ状態で、第一の開口部７ｂとケーブルクリップの挟持部と板状の部材間の空間部に結束バンド９ｄを挿通して、ケーブル１０ｄを、ケーブルクリップの高さ方向に保持した例を示す図である。双方共ケーブルは狭持部面に沿って保持される。
【００２２】  図２から図５に示したように、本発明のケーブルクリップは、その挟持部が板状の部材を挟んだ状態では、ケーブルクリップを構成する金属板の弾性により、挟持部が板状部材の方向に付勢される。さらに挟持部には係止爪が設けられているので、確実に挟持することが可能である。また、前記のように、本発明のケーブルクリップは、ケーブルクリップの狭持支持面及び狭持面に沿って、ケーブルを保持する方向が、ケーブルクリップの長さ方向又は長さ方向に直交する方向の、何れにも設定できるため、ケーブルの多方向の配線の向きに対応することができる。
【００２３】  以上に説明したように、本発明によれば、板状の部材に簡単に取り付けることができ、しかも、配線の方向による制約が少ないケーブルクリップを提供できる。なお、本発明は、前記実施の形態に限定されるものではなく、本発明の分野における通常の知識を有する者であれば想到し得る、各種変形、修正を含む、本発明の要旨を逸脱しない範囲の設計変更があっても、本発明に含まれることは勿論である。
【符号の説明】
【００２４】１ａ，１ｂ・・・挟持部    ２・・・挟持部支持面
３ａ，３ｂ・・・係止爪
４ａ・・・ケーブルクリップの長さ方向に直交する挿通部
４ｂ・・・ケーブルクリップの長さ方向に平行な挿通部
４ｃ・・・平板部    ５ａ，５ｂ・・・第二の開口部
６ａ，６ｂ・・・スリット、６ｃ，６ｄ，６ｅ，６ｆ・・・突起部
７ａ，７ｂ・・・第一の開口部    ８ａ，８ｂ，８ｃ，８ｄ・・・板状の部材
９ａ，９ｂ，９ｃ，９ｄ・・・結束バンド
１０ａ，１０ｂ，１０ｃ，１０ｄ・・・ケーブル
【図１】
2017099247.tif 000003
【図２】
2017099247.tif 000004
【図３】
2017099247.tif 000005
【図４】
2017099247.tif 000006
【図５】
2017099247.tif 000007